(57)【要約】システムおよび方法は、モバイル装置から受け取ったマーカおよび関連したコンテキストに応じて、コンテンツを前記モバイル装置に提供する。モバイル装置のユーザは、前記モバイル装置にマーカを入力することによって、所望のコンテンツの配信およびその他の動作を開始させる。前記モバイル装置は、前記マーカを、該マーカについてのコンテキストを提供するコンテキストサーバを有するモバイルネットワークサポートシステムに送信する。前記モバイルネットワークサポートシステムは、前記マーカおよびコンテキストを含むメッセージを作成し、コンテンツサーバに送る。前記コンテンツサーバは、前記コンテキストを使用して前記マーカをドメインにマッピングし、前記マーカおよびドメインによって特定されるコンテンツを前記コンテンツデータベースから取り出し、該コンテンツを前記モバイルネットワークサポートシステムに送り、または、その他の動作を行う。そして、前記モバイルネットワークサポートシステムは、前記コンテンツを前記モバイル装置に返送する。
2006503380.tif 000002
【特許請求の範囲】
【請求項１】
モバイル装置からマーカを示すデータを受け取るステップと、
前記マーカを示すデータとは独立に得られる前記マーカのコンテキストを示すデータを受け取るステップと、
前記マーカおよび該マーカのコンテキストに応じたコンテンツを決定し、該決定したコンテンツを前記モバイル装置に提供するステップと
を具備したモバイル装置にコンテンツを提供する方法。
【請求項２】
前記マーカのコンテキストを示すデータが、前記モバイル装置の地理的な位置を示す請求項1に記載の方法。
【請求項３】
前記モバイル装置の地理的な位置を示す前記コンテキストを示すデータが、前記モバイル装置から受け取られるものである請求項2に記載の方法。
【請求項４】
前記モバイル装置が、全地球測位システムを使用して前記モバイル装置の地理的な位置を示すデータを発生する請求項3に記載の方法。
【請求項５】
前記モバイル装置の地理的な位置を示す前記コンテキストを示すデータが、前記モバイル装置から受け取られるものではない請求項2に記載の方法。
【請求項６】
前記マーカのコンテキストを示すデータが、携帯電話システムの特定のセルを示すものである請求項2に記載の方法。
【請求項７】
前記マーカを示すデータおよび前記コンテキストを示すデータが、前記モバイル装置と通信接続されるモバイルネットワークサポートシステムから受け取られるものである請求項1に記載の方法。
【請求項８】
前記モバイルネットワークサポートシステムによって前記モバイル装置から前記マーカを示すデータを受け取るステップと、
前記モバイルネットワークサポートシステムと通信接続されるコンテキストサーバにアクセスして、前記マーカのコンテキストを示すデータを決定するステップと
を更に具備した請求項7に記載の方法。
【請求項９】
前記マーカおよび該マーカのコンテキストに応じたコンテンツを決定するステップが、前記マーカのコンテキストを分析して前記マーカのドメインを決定し、前記マーカおよび決定された前記ドメインに応じたコンテンツを決定するステップからなる請求項1に記載の方法。
【請求項１０】
前記マーカおよび前記決定されたドメインに応じたコンテンツを決定するステップが、複数のドメインの複数のマーカと関連づけられたコンテンツを保持するコンテンツデータベースにアクセスするステップからなる請求項9に記載の方法。
【請求項１１】
前記分析するステップが、データフィードを介して受け取られたデータを前記マーカのコンテキストと相関させて、前記マーカについて適当なドメインを決定するステップからなる請求項9に記載の方法。
【請求項１２】
前記ドメインが地理的なエリアである請求項9に記載の方法。
【請求項１３】
前記地理的なエリアが不連続のエリアである請求項12に記載の方法。
【請求項１４】
前記マーカを示すデータが、数値からなるものである請求項1に記載の方法。
【請求項１５】
前記マーカを示すデータが、テキスト文字列からなるものである請求項1に記載の方法。
【請求項１６】
前記マーカを示すデータが、音声による言葉またはフレーズを示すデータからなるものである請求項1に記載の方法。
【請求項１７】
前記マーカを示すデータが、選択された絵文字を示すデータからなるものである請求項1に記載の方法。
【請求項１８】
前記提供するステップが、前記モバイル装置にテキストデータを提供するステップからなるものである請求項1に記載の方法。
【請求項１９】
前記提供するステップが、前記モバイル装置にオーディオデータおよび/またはビデオデータを提供するステップからなるものである請求項1に記載の方法。
【請求項２０】
複数のコンテキストのうちの1つまたは複数を有する複数のマーカについてのコンテンツを記憶するコンテンツデータベースと、
モバイル装置からマーカを示すデータを受け取り、該マーカを示すデータとは独立に得られる前記マーカのコンテキストを示すデータを受け取り、前記コンテンツデータベースにアクセスして、前記マーカおよび前記コンテキストと関連づけられたコンテンツを決定し、該決定されたコンテンツを送るコンテンツサーバと
を具備したモバイル装置にコンテンツを提供するシステム。
【請求項２１】
前記コンテンツデータベースにおけるコンテンツが複数のドメインのうちの1つまたは複数と関連づけられており、前記コンテンツサーバが、前記マーカのコンテキストを分析して、前記マーカのドメインを決定するドメインマッピングモジュールを更に具備し、前記コンテンツサーバが前記コンテンツデータベースにアクセスして、前記マーカおよび前記コンテキストと関連づけられたコンテンツを決定する請求項20に記載のシステム。
【請求項２２】
データフィードを受け取るモジュールを更に具備し、前記ドメインマッピングモジュールが、前記データフィードを介して受け取られたデータを前記マーカのコンテキストと相関させて、前記マーカについて適当なドメインを決定する請求項21に記載のシステム。
【請求項２３】
前記ドメインが地理的なエリアである請求項21に記載のシステム。
【請求項２４】
前記地理的なエリアが不連続のエリアである請求項23に記載のシステム。
【請求項２５】
前記マーカのコンテキストを示すデータが前記モバイル装置の地理的な位置を示す請求項20に記載のシステム。
【請求項２６】
前記モバイル装置の地理的な位置を示す前記コンテキストを示すデータが、前記モバイル装置から受け取られるものである請求項25に記載のシステム。
【請求項２７】
前記モバイル装置が、全地球測位システムを使用して前記モバイル装置の地理的な位置を示すデータを発生する請求項26に記載のシステム。
【請求項２８】
前記モバイル装置の地理的な位置を示す前記コンテキストを示すデータが、前記モバイル装置から受け取られるものではない請求項25に記載のシステム。
【請求項２９】
前記マーカのコンテキストを示すデータが、携帯電話システムの特定のセルを示す請求項25に記載のシステム。
【請求項３０】
前記モバイル装置および前記コンテンツサーバと通信接続されて、前記マーカを示すデータを前記モバイル装置から前記コンテンツサーバに送り、前記マーカのコンテキストを示すデータを前記コンテンツサーバに送り、前記決定されたコンテンツを前記コンテンツサーバから前記モバイル装置に送るモバイルネットワークサポートシステムを更に具備した請求項20に記載のシステム。
【請求項３１】
前記モバイルネットワークサポートシステムが、前記マーカのコンテキストを示すデータを発生するコンテキストサーバからなる請求項30に記載のシステム。
【請求項３２】
前記コンテンツサーバによって前記モバイル装置に送られる前記決定されたコンテンツが、テキストデータからなる請求項20に記載のシステム。
【請求項３３】
前記コンテンツサーバから前記モバイル装置に送られる前記決定されたコンテンツが、オーディオデータおよび/またはビデオデータからなる請求項20に記載のシステム。
【請求項３４】
前記マーカを示すデータが、数値からなるものである請求項20に記載のシステム。
【請求項３５】
前記マーカを示すデータが、テキスト文字列からなるものである請求項20に記載のシステム。
【請求項３６】
前記マーカを示すデータが、音声による言葉またはフレーズを示すデータからなるものである請求項1に記載のシステム。
【請求項３７】
前記マーカを示すデータが、選択された絵文字を示すデータからなるものである請求項1に記載のシステム。
【請求項３８】
モバイル装置にコンテンツを提供するためのコンピュータで読み取り可能なコードを含むコンピュータで使用可能な媒体を具備したコンピュータプログラム製品であって、前記コンピュータで読み取り可能なコードが、
前記モバイル装置からマーカを示すデータを受け取るモジュールと、
前記マーカを示すデータとは独立に得られる前記マーカのコンテキストを示すデータを受け取るモジュールと、
前記マーカおよび該マーカのコンテキストに応じたコンテンツを決定するモジュールと、
該決定したコンテンツを前記モバイル装置に提供するモジュールと
からなることを特徴とするコンピュータプログラム製品。
【請求項３９】
前記マーカのコンテキストを示すデータが前記モバイル装置の地理的な位置を示す請求項38に記載のコンピュータプログラム製品。
【請求項４０】
前記モバイル装置の地理的な位置を示す前記コンテキストを示すデータが、前記モバイル装置から受け取られるものである請求項39に記載のコンピュータプログラム製品。
【請求項４１】
前記モバイル装置が、全地球測位システムを使用して前記モバイル装置の地理的な位置を示すデータを発生する請求項40に記載のコンピュータプログラム製品。
【請求項４２】
前記モバイル装置の地理的な位置を示す前記コンテキストを示すデータが、前記モバイル装置から受け取られるものではない請求項39に記載のコンピュータプログラム製品。
【請求項４３】
前記マーカのコンテキストを示すデータが、携帯電話システムの特定のセルを示す請求項39に記載のコンピュータプログラム製品。
【請求項４４】
前記マーカを示すデータおよび前記コンテキストを示すデータが、前記モバイル装置と通信接続されるモバイルネットワークサポートシステムから受け取られるものである請求項38に記載のコンピュータプログラム製品。
【請求項４５】
前記モバイルネットワークサポートシステムによって前記モバイル装置から前記マーカを示すデータを受け取るモジュールと、
前記モバイルネットワークサポートシステムと通信接続されるコンテキストサーバにアクセスして、前記マーカのコンテキストを示すデータを決定するモジュールと
を更に具備した請求項44に記載のコンピュータプログラム製品。
【請求項４６】
前記マーカおよび該マーカのコンテキストに応じたコンテンツを決定するモジュールが、前記コンテキストを分析して前記マーカのドメインを決定し、前記コンテンツデータベースにアクセスして前記マーカおよび前記ドメインに関連づけられたコンテンツを決定するドメインマッピングモジュールを備えた請求項38に記載のコンピュータプログラム製品。
【請求項４７】
前記マーカおよび該マーカのコンテキストに応じたコンテンツを決定するモジュールが、複数のドメインについて前記マーカと関連づけられたコンテンツを保持するコンテンツデータベースにアクセスするモジュールを備えた請求項46に記載のコンピュータプログラム製品。
【請求項４８】
前記ドメインマッピングモジュールが、データフィードを介して受け取られたデータを前記マーカのコンテキストと相関させて、前記マーカについて適当なドメインを決定する請求項46に記載のコンピュータプログラム製品。
【請求項４９】
前記ドメインが地理的なエリアである請求項46に記載のコンピュータプログラム製品。
【請求項５０】
前記地理的なエリアが不連続のエリアである請求項49に記載のコンピュータプログラム製品。
【請求項５１】
前記モバイル装置に前記決定されたコンテンツを提供するモジュールが、前記モバイル装置にテキストデータを提供するモジュールからなるものである請求項38に記載のコンピュータプログラム製品。
【請求項５２】
前記モバイル装置に前記決定されたコンテンツを提供するモジュールが、前記モバイル装置にオーディオデータおよび/またはビデオデータを提供するモジュールからなるものである請求項38に記載のコンピュータプログラム製品。
【請求項５３】
前記マーカを示すデータが、数値からなるものである請求項38に記載のコンピュータプログラム製品。
【請求項５４】
前記マーカを示すデータが、テキスト文字列からなるものである請求項38に記載のコンピュータプログラム製品。
【請求項５５】
前記マーカを示すデータが、音声による言葉またはフレーズを示すデータからなるものである請求項38に記載のコンピュータプログラム製品。
【請求項５６】
前記マーカを示すデータが、選択された絵文字を示すデータからなるものである請求項38に記載のコンピュータプログラム製品。
【発明の詳細な説明】
【技術分野】
【０００１】
本発明は、ワイヤレス技術に関し、特に、ワイヤレス(無線)モバイル装置に情報を提供する技術に関する。
【背景技術】
【０００２】
ワイヤレス技術の急速な普及に伴い、今や、多くの手持ち式モバイル装置が、株式取引、文字メッセージの送信/受信等の様々な用途に適用可能である。ワイヤレス技術の普及が進むのに伴い、会社およびコンテンツプロバイダが個人化され、局地化された情報をモバイル装置の保有者に配信するための新たなウィンドウが開設される。例えば、移動中のモバイル装置の保有者は、局地的な天気、ローカルマップ、および/または、その土地のホテルおよびレストランへの方向などの情報を必要とすることがあり、このような情報をモバイル装置に直接的に配信することが望ましい。
【０００３】
会社およびコンテンツプロバイダは、通常、特定の時および場所においてモバイル装置の保有者がどのような情報を必要とするかを知らない。一部の会社およびコンテンツプロバイダは、少なくとも一部のモバイル装置の保有者が特定の情報が有用な場所にいるという前提に基づいて、前記情報をモバイル装置に押しつけるためのアプリケーションを設計してきた。しかしながら、一般的に起こるように、このような情報の大きな部分は、大部分のモバイル装置のユーザにとって有用なものではない。このような不要な情報は、モバイル装置に氾濫し、周波数帯域、メモリおよびバッテリパワーを消費する。
【０００４】
このような理由により、例えば、モバイル装置のユーザが、所望の情報を有するウェブサイトの"URL"を入力することによって、前記所望の情報の配信を開始させるようにするのがより効率的である。他方、モバイル装置のユーザが、モバイル装置の能力による制限を受ける場合がある。例えば、セルラ方式の携帯電話は小型の白黒画面を有するが、長い文字列を入力するには便利な手段ではない。セルラ方式の携帯電話のユーザは、ワイヤレスディレクトリ参照サービスを利用するためには、多数のボタン押圧によって名前またはアドレスを入力するよりも、"411"をダイヤルする方が容易である、と感じるであろう。また、車を運転しながらセルラ方式の携帯電話を使用する人々の現在の関心事と同様に、長いURL列を入力することによって、インターネット上のコンテンツを取得しようとする車中の人に関する安全上の問題も存在する。さらに、しばしば、URLは記憶するのが容易でない。故に、所望のウェブサイトを見つけるために、ユーザはインターネット上で長たらしい検索をおこなわなければならない場合がある。これらの検索は、時間とバッテリーパワーを消費し、ユーザが車を運転してるときには実用的ではない。
【０００５】
故に、当該技術においては、上述した不都合無しに、モバイル装置のユーザに所望のコンテンツを提供するための方法およびシステムが必要となっている。
【発明の開示】
【０００６】
本発明は、モバイル装置のユーザが情報を得ることに興味を持っている対象要素(entity:エンティティ)に対して"マーカ"と呼ばれる短い識別子を割り当てることによって、上記の必要性に対処している。本発明の一実施の形態において、すべてのマーカは、地理的なエリアのような特定のドメインと関連づけられている。マーカは様々異なるドメインで再使用可能である。
【０００７】
一実施の形態において、本発明は、モバイルネットワークサポートシステムおよびコンテンツサーバを使用する。モバイル装置のユーザは、モバイル装置にマーカを入力することによって、所望のコンテンツの配信およびその他の動作を開始させる。前記モバイル装置は、前記マーカを前記モバイルネットワークサポートシステムに送信する。好ましくは、前記モバイルネットワークサポートシステム内のコンテキストサーバは、前記モバイル装置の地理的な位置のような、前記マーカについてのコンテキストを決定する。そして、前記モバイルネットワークサポートシステムは、前記マーカおよびコンテキストを含むメッセージをコンテンツサーバに送る。
【０００８】
前記コンテンツサーバは、指定されたドメインについてのマーカと関連づけられたコンテンツを格納するコンテンツデータベースと通信接続される。前記コンテンツサーバ内のドメインマッピングモジュールは、コンテキスト情報を使用して前記マーカをドメインにマッピングする。前記コンテンツサーバは、特定のマーカおよびドメインによって参照されるコンテンツを前記コンテンツデータベースから取り出し、該コンテンツを前記モバイルネットワークサポートシステムに送り、該モバイルネットワークサポートシステムは前記コンテンツを前記モバイル装置に送信する。代案として、前記コンテンツサーバは、前記モバイル装置のユーザのために、前記コンテンツを使用して前記マーカと関連づけられた前記対象要素に接触するか、その他の動作を行う。
【０００９】
【００１０】
【００１１】
【００１２】
【発明を実施するための最良の形態】
【００１３】
図1は、本発明の一実施の形態に従ってモバイル装置130にコンテンツを提供するためのシステム100を示すブロック図である。前記システム100は、インターネットのようなネットワーク101に接続されたコンテンツサーバ110と、前記ネットワーク101と通信接続されるモバイルネットワークサポートシステム120と、モバイル装置130とを含む。前記システム100は、モバイル装置130のユーザにマーカ141を知らせるためにディスプレイ140を利用する。
【００１４】
前記マーカ141は、コンテンツを要求するためにモバイル装置のユーザが彼または彼女のモバイル装置130に入力できる数字、文字列、絵文字もしくはその他の記号または一連の記号である。好ましくは、前記マーカ141は、容易に読め、記憶でき、モバイル装置130に入力できる例えば"42"のような短い数字である。また、前記マーカ141は、"food", "traffic"のような単語、商号、短いフレーズ、および/または、特定の色もしくは音であってもよい。
【００１５】
一般的に、前記マーカ141は、レストラン、ホテル、劇場、店、法人、学校または道路標識等のような対象要素と関連付けられる。さらに、前記マーカ141は、天気、交通状態、メキシコ料理等のより一般的な概念と関連付けられてよい。好ましくは、前記モバイル装置のユーザは、マーカ141を使用して、該マーカに関連付けられた対象要素または概念についての情報を入手する。典型的には、この情報は、レストランのメニュー、劇場の上演時間または交通状態等のコンテンツである。
【００１６】
しかしながら、モバイル装置のユーザが、サービスを得たり、該ユーザに対して追加的な情報を直接的に提供しないイベントを発生させたりするために、前記マーカ141を使用する場合がある。例えば、前記ユーザは、該ユーザに関連付けられたアドレスに、電子的またはその他の方法で、コンテンツをメールするために前記マーカ141を使用することができる。その他の例において、追加的な情報を提供しおよび/または取得することができるよう、前記ユーザは、予約サービス等の対象要素との接続を確立するために前記マーカ141を使用することができる。しかし、ここでは、モバイル装置のユーザが"コンテンツ"を入手するためにマーカ141を使用する場合について説明する。なお、当業者に理解されるように、"コンテンツ"とは、前記マーカ141の使用を通じて、モバイル装置のユーザにもたらされる可能性のあるすべての便宜を含むものである。
【００１７】
本発明の好ましい実施の形態において、前記マーカ141は1つまたは複数の特定の種類のドメインとの兼ね合いで有効である。マーカについてあり得るドメインの種類には、地理的なエリア、時間、および/またはイベントが含まれる。ドメインは、連続したもの、または、不連続のものであってよい。本発明の好ましい実施の形態において、前記ドメインは、1つまたは複数の地理的なエリアである。ドメインとして定義され得る地理的なエリアの例としては、特定の国、市、町、地区、学校のキャンパス、ショッピングセンタ、ビルディング、ならびに、特定の道路または幹線道路の周りのエリア、バスルートによって形成される道および電話基地局等のマーカ141またはその他の位置を取り囲む地理的なエリアが含まれる。特定のマーカ141の意味は特定のドメインのみについて有効であるので、マーカ141は、異なるドメインにおいて再利用可能で、且つ、異なる意味を持つことができる。
【００１８】
本発明の一実施の形態において、前記マーカ141は、場所が固定され、および/または、所定の場所もしくは立体領域に存在することが知られている掲示板またはその他の物理的な物体等のディスプレイ140に示される。例えば、前記ディスプレイ140は、広告の一部として、および/または、店、レストラン、モーテル、劇場、学校等のサインのような、前記マーカ141が割り当てられた対象要素の他の特徴と共に、前記マーカ141を示すことができる。さらに、前記ディスプレイ140は、既知のドメインを通過する、または、その他の方法で前記マーカ141のドメインを視覚的に確認できるようにするモバイル物体であってよい。例えば、バスが、"交通情報を入手するためには'42'を入力しなさい"とのメッセージを表示してもよい。バスのルートは既知であるので、マーカ141のドメインも既知である。他の例において、紙マッチまたは電話帳が、"サンノゼにいるときには、ローカルな天気情報を入手するためにマーカ'42'を入力しなさい"とのメッセージを表示する。この例において、前記マーカ141が有効となるドメインが明示される。前記マーカは、サンノゼの外では他の意味を有することができる。
【００１９】
代案として、前記ディスプレイ140は、モバイル装置のユーザがマーカ141について知ることができるものであれば、その他のものとすることができる。例えば、ラジオ広告によって、能quote Star Wars Episode Two'を次の2時間内に上映するあなたの近くの映画館の場所を入手するためには'42'を入力しなさい"と放送してよい。前記ディスプレイ140は、モバイル装置のユーザがマーカ141について知ることができるものであれば、パソコンまたはその他の任意の装置であってもよい。
【００２０】
好ましくはユーザが直接的なアクセスをすることができるモバイル装置130は、様々な形態で、前記ユーザからの入力を受け付け、また、該ユーザに出力できるワイヤレス装置であるのが好ましい。例えば、前記モバイル装置130は、キーパッドの押圧、発声された単語もしくはフレーズ、および/または直接的な電子データ入力等の入力を受け付けることができる。同様に、前記モバイル装置130は、テキストメッセージ、アイコンもしくはその他の絵文字、ビデオ、およひ/またはオーディオ等を出力できる。モバイル装置の例としては、セルラ方式の携帯電話、衛星電話、Personal Digital Assistant (PDA)、ポケベル、ポータブルコンピュータ、および、General Motors Corporationから入手可能なOnstarシステム等の車内通信システムが含まれる。好ましくは、前記モバイル装置130は、Wireless Application Protocol (WAP)をサポートする。しかしながら、本発明は、WAPまたはその他のプロトコルをサポートするワイヤレスおよび/またはワイヤド(有線)装置と共に働くものである。例えば、前記モバイル装置130は、WAP等の他のプロトコルに代わるまたはこれに加えられたdual-tone multi-frequency ("DTMF"または"touch-tone")等の標準的な電話プロトコルをサポートするものであってよい。ここで、"モバイル装置"および" ワイヤレス装置"という用語は、事実上携帯可能ではないおよび/またはワイヤレスではない装置をも包含するものである。
【００２１】
前記モバイル装置130は、ワイヤレスおよび/またはワイヤド技術を介して、モバイルネットワークサポートシステム120内の基地局122と通信する。典型的には、前記基地局122は、前記モバイル装置130によって利用される通信の種類に応じて、地上ベースのものおよび衛星ベースのもののいずれかである。例えば、前記モバイル装置130がセルラ方式の携帯電話である場合、前記基地局122は、好ましくは、前記セルラ方式の携帯電話との双方向通信を行うためのセルラベースアンテナおよび関連ハードウエアおよびソフトウエアを備えている。前記モバイル装置130が衛星ベースの電話である場合、前記基地局122は、好ましくは、衛星アップリンクおよびダウンリンク機能をサポートするためのハードウエアおよびソフトウエアを備えている。代案として、前記モバイル装置130がネットワーク接続部を有するノート型コンピュータである場合、前記基地局122は、単に、Internet Service Provider (ISP)またはその他によって維持されるインターネットサーバであってよい。
【００２２】
本発明の好ましい実施の形態において、前記基地局122は、WAPまたはNTTドコモから入手可能なiモードプロトコル等の確立されたプロトコルを使用する無線通信リンクによって、多数のモバイル装置と同時に通信する。WAPは、セルラ方式の携帯電話、ポケベルおよびその他の手持ち型装置に対してeメールおよびテキストベースのウェブページに対する安全なアクセスを提供するための規格である。WAPは、Transmission Control Protocal/Internet Protocol (TCP/IP)のワイヤレス対応のもの、ならびに、コール制御および電話帳アクセス等の電話集積化のためのフレームワークを含むワイヤレス用途のための環境を提供する。WAPはWireless Markup Language (WML)をサポートし、該WMLは、標準的なExtensible Markup Language (XML)およびHypertext Markup Language (HTML)ツールがWAPの用途を開発するために使用されることを可能にするタッグに基づく言語である。また、WAPは、制限されたメモリ内で稼動するコンパクトなJavaScriptのような言語であるWMLScriptを使用する。さらに、WAPは、キーパッドのような手持ち式入力方法および音声認識をサポートし、モバイル装置において最少の機能を必要とする。iモードは、モバイル電話のためのパケットに基づく情報サービスである。iモードは、ウェブブラウジング、eメール、カレンダ、チャット、ゲームおよびカスタマイズされたニュースを提供する。iモードは、cHTMLと呼ばれる独自のディスプレイ言語を使用する。
【００２３】
また、前記モバイルネットワークサポートシステム120は、好ましくは、モバイル装置130から受信されたメッセージ中のマーカ141についてのコンテキスト情報を提供するためのコンテキストサーバ126を含んでいる。一般的に、前記コンテキストサーバ126は、前記基地局122および/またはモバイル装置130から情報を受信し、該装置から送られたマーカと関連付けられたコンテキストを決定する。上述のように、本発明の好ましい実施の形態において、前記コンテキストは、前記モバイル装置130の地理的な位置である。前記コンテキストサーバ126は、前記モバイル装置130からの信号を受信した基地局122またはネットワークから、この地理的な位置を決定する。
【００２４】
前記コンテキスト情報は、モバイル装置130の方向、速度および高度等のデータを含んでいてよい。より詳細なコンテキスト情報を提供するために、前記コンテキストサーバ126または基地局122は、前記モバイル装置130および/または基地局122での信号送受信のタイミングまたは角度に基づくオーバーレイ三角測量(overlay triangulation)を含む技術を利用することができる。典型的には、このようなオーバーレイ三角測量は、強化観測時間差法(Enhanced Observed Time Difference: E-OTD)および到着時間(Time of Arrival:TOA)情報を利用する。代案として、前記全地球測位システム(GPS)技術が、モバイル装置130に含まれていてよい。後者の場合、コンテキスト情報はモバイル装置130から直接受信されるので、本発明の実施の形態は、前記コンテキストサーバ126の欠いていよく、または、これを利用しないでもよい。
【００２５】
使用される技術に関わらず、前記コンテキストサーバ126は、マーカ141の送り元であるモバイル装置130の位置を特定するのが好ましい。前記モバイル装置130の位置情報は、経度、緯度および/または高度、または、前記基地局122もしくはその他の起点に対する物理的な座標、または、その他のフォーマットであってよい。一実施の形態において、前記コンテキストサーバ126は、前記モバイル装置の確定された位置の程度または確信度を示す情報をも提供する。
【００２６】
他の実施の形態において、前記コンテキストサーバ126は、好ましくは、特定のコンテキストに関する他の情報を提供する。例えば、前記コンテキストが一日における時間である場合、前記コンテキストサーバ126は、好ましくは、モバイル装置130からマーカが受け取られた(または送られた)時間を提供する。さらに、前記コンテキストサーバ126は、1つのマーカに対して、前記マーカ130の位置および基地局122によって前記マーカが受け取られた時間などの多数のコンテキストを提供してもよい。
【００２７】
前記モバイルネットワークサポートシステム120は、さらに、前記基地局122とネットワーク101との間に接続されたゲートウェイ124を有する。好ましくは、該ゲートウェイ124は、異なるタイプのネットワークおよび/またはアプリケーションの間でプロトコル変換を行うコンピュータシステムである。好ましくは、該ゲートウェイ124は、TCP/IP、WAP、i-モードおよび/または標準的な電話プロトコル間でメッセージを変換する。本発明の好ましい実施の形態において、前記ゲートウェイ124は、前記モバイル装置130から受け取ったマーカ141と前記コンテキストサーバ126またはモバイル装置130によって提供されたコンテキスト情報とを含むメッセージを作成する。そして、前記ゲートウェイ124は、前記メッセージをUniform Resource Locator(URL)のようなTCP/IPメッセージに変換し、Hypertext Transport Protocol(HTTP)のような確立されたプロトコルを使用して、該メッセージを前記ネットワーク101に送る。代案として、前記ゲートウェイ124が標準的な電話プロトコルを介して前記コンテンツサーバ110と通信する実施の形態において、該ゲートウェイは、電話ネットワークを介して前記マーカ141およびコンテキスト情報を通信するために設計されたフォーマットに変換する。
【００２８】
また、好ましくは、前記ゲートウェイ124は、前記ネットワーク101から受け取ったコンテンツを、WMLまたはcHTMLのような無線通信フォーマットに変換し、該コンテンツを前記モバイル装置130に送信する基地局122に送る。前記ゲートウェイ124は、さらに、無線リンクの限られた帯域を考慮して、前記モバイル装置130に送られるコンテンツを圧縮し、および/または、前記モバイル装置130から受け取ったメッセージを伸張してもよい。１つの実施の形態において、前記ゲートウェイ124の機能は、前記コンテキストサーバ126またはその他の装置に組み込まれる。
【００２９】
前記ネットワーク101は、ゲートウェイ124とコンテンツサーバ110との間で情報を送信する。前記ネットワーク101は、音声および/またはデータを伝送するための技術を含む任意の公知のネットワーク技術を含むことができる。さらに、前記ネットワーク101は、インターネットのような公共のネットワークの経路を利用してよく、公共および/または私用の通信リンクで構成されてよく、または、公共および私用の通信リンクの組み合わせを含んでよい。変更例において、コンテンツサーバ110は、モバイルネットワークサポートシステム120内に設けられる。従って、前記ネットワーク101はローカルエリアネットワークであってよい。
【００３０】
好ましくは、前記コンテンツサーバ110は、前記モバイル装置130によって送信されたマーカ141および前記コンテキストサーバ126によって提供されたコンテキスト情報を受け取り、前記コンテキストをドメインにマッピングし、前記マーカ141およびマッピングされたドメインと関連付けられたコンテンツを決定し、該コンテンツを前記モバイル装置に送るか、または、その他の動作を行う。一実施の形態において、前記コンテンツサーバ110は、TCP/IPを介して、HTTPのような通信プロトコルを受け取ってこれに応答可能になっている。他の実施の形態において、前記コンテンツサーバ110は、標準的な電話プロトコルを介して通信を受け取り、該受け取った通信に応答可能なインタラクティブな音声応答(IVR)システムである。
【００３１】
図2は、図1に示す前記コンテンツサーバ110またはコンテキストサーバ126のような他の装置として使用されるコンピュータシステム200の高レベルブロック図である。図2は、バス204に接続された少なくとも1つのプロセッサ202を示している。バス204には、さらに、メモリ206、記憶装置208、キーボード210、グラフィックスアダプタ212、ポインティング装置214およびネットワークアダプタ216が接続されている。ディスプレイ218は前記グラフィックスアダプタ212に接続されている。
【００３２】
少なくとも1つのプロセッサ202は、INTELx86またはPOWERPC対応の中央処理ユニット(CPU)のような、任意の特定のまたは汎用のプロセッサであってよい。前記記憶装置208は、ハードドライブ、コンパクトディスク・リードオンリーメモリ(CD-ROM)、DVDまたはその他の形態の固定式もしくは着脱式の記憶装置のような、大量のデータを保持可能な任意の装置であってよい。前記メモリ206は、前記プロセッサ202によって使用される命令およびデータを保持する。前記ポインティング装置214は、マウス、トラックボール、ライトペン、タッチセンスディスプレイまたはその他の種類のポインティング装置であってよく、データをコンピュータシステム200に入力するために前記キーボード210と組み合わされて使用される。前記ネットワークアダプタ216は、前記コンピュータシステム200をコンピュータネットワーク101に接続する。
【００３３】
コンテンツサーバ(またはその他のサーバ)110の機能を提供するためのプログラムモジュール220は、好ましくは、前記記憶装置208に格納され、前記メモリ206にロードされ、前記プロセッサ202によって実行される。代案として、前記コンピュータシステム200内のどこかにハードウエアモジュールまたはソフトウエアモジュールが格納されていてよい。ここで、"モジュール"という用語は、それぞれの前記モジュールの機能を提供するために使用されるコンピュータプログラムロジックおよび/または任意のハードウエアもしくは回路を意味するものである。前記コンピュータシステム200内のハードウエアモジュールおよびソフトウエアの種類は、該コンピュータシステムがどのように使用されるのかに応じて異なってよい。たとえば、大抵、コンテンツサーバ110として使用されるコンピュータシステムは、典型的なパソコンシステムより大きな処理能力および記憶容量を有する。さらに、前記コンテンツサーバ110は、ディスプレイ218またはグラフィックスアダプタのような特定の構成要素を欠いてもよい。
【００３４】
図1に戻り、前記コンテンツサーバ110は、好ましくは、ドメインマッピングモジュール(DMM)150を含み、コンテンツデータベース111と通信接続されている。前記DMM150は、前記コンテキストサーバ126から受け取ったコンテキスト情報を分析して、前記マーカについてのドメインを決定する。本発明の一実施の形態において、前記コンテキストとドメインとは同じものである。本発明の他の実施の形態において、前記DMM150は、所定の情報、別個のデータベース(図示せず)に格納された情報、または、データフィード152を介して受け取った情報を使用して、前記コンテキストを適当なドメインにマッピングする。コンテキストからドメインへのマッピングは、連続的なマッピングまたは不連続で離散したマッピングであってよい。
【００３５】
たとえば、前記コンテキスト情報は、セルラ基地局が担当するセルの位置のような地理的な位置を指示するものでよい。同様に、マーカ141は、1つまたは複数の基地局が担当するエリアのような、特定の地理的なエリア(すなわち、ドメイン)内で有効なものとすることができる。前記DMM150は、前記コンテキストサーバ126によって提供された地理的な位置を、前記マーカ141が有効である適当なドメインにマッピングする。
【００３６】
より複雑な例において、前記コンテキスト情報は、地理的な位置、方向および速度を指示するものであってよい。さらに、州間幹線身道路のような道路は、該道路の各側毎に定義された異なるドメインを有してよい。前記DMM150は、前記コンテキスト情報を解釈して、モバイル装置130が該当道路上に在り、ある特定の方向に向かっていると判定する。したがって、前記DMM150は、前記マーカ141を、該道路の前記方向について定義されたドメインにマッピングする。
【００３７】
さらに他の例において、バスの側面の広告にマーカが設けられる。前記マーカについてのドメインは、ある特定のバスまたはルートに対して指示される。たとえば、マーカ"42"は、バスルート1-5についての1番目のドメイン、および、バスルート6-10についての2番目のドメインに設けられる。この例において、コンテキスト情報は、地理的な位置および/または時間を指示する。前記DMM150は、前記指示された地理的な位置、または、指示された時間を使用して、該マーカを有するどのバスが特定の時間においてその特定の地理的な位置に最も近接していたかを判定する。この判定を行うために、前記DMM150は、バススケジュール表またはバスの位置を記載したリアルタイムデータテフィードに依存してよい。そして、前記DMM150は、前記マーカを、特定のバスのバスルートに対応するドメインにマッピングする。
【００３８】
前記コンテンツデータベース111は、マーカおよびドメインと関連付けられたコンテンツを格納する。一実施の形態において、前記コンテンツデータベース111は、1つの次元がマーカ141を示し、他の次元がドメインを示す二次元のアレイ状にコンテンツを格納する。多次元アレイ、ハッシュテーブル等を含むその他の記憶技術も、本発明の範囲内である。本発明の一実施の形態において、前記コンテンツデータベース111は、付加的なコンテンツに対するポインタを格納する。たとえば、前記コンテンツデータベース111は、インターネット上で利用可能な他のコンテンツを参照するURLを格納する。他の例において、前記コンテンツデータベース111は、予約サービスの電話番号を格納する。一実施の形態において、前記コンテンツデータベース111は、Oracle Corporationから入手可能なOracle 8iのようなオブジェクト指向データベースを使用して実現される。
【００３９】
一実施の形態において、前記コンテンツデータベース111は、別個のデータベースサーバまたは専用の記憶システムと関連付けられた別個の記憶装置に格納されている。したがって、前記コンテンツデータベース111は、前記コンテンツサーバ110と同一場所に設けられてもよいし、前記コンテンツサーバ110とは離れた場所に設けられてもよく、ローカルエリアネットワークまたはワイドエリアネットワーク(図示せず)によって前記コンテンツサーバに接続されてよい。
【００４０】
好ましくは、前記コンテンツサーバ110は、前記コンテンツデータベース111にアクセスして、特定のマーカ141またはドメインによって特定されるコンテンツを取り出す。前記コンテンツデータベース111から前記コンテンツを受け取ると、前記コンテンツサーバ110は、好ましくは、ネットワークと101およびモバイルネットワークサポートシステム120を介して、該コンテンツをモバイル装置130に提供し、および/または、該コンテンツによってその他の動作を行う。たとえば、前記コンテンツサーバ110がレストランメニューを保持している場合、前記コンテンツサーバ110は、該メニューを前記モバイル装置130に提供してよいし、または、該メニューを前記モバイル装置130と関連付けられたアドレスにeメールしてよい。また、前記コンテンツデータベース111が前記レストランの電話番号を保持している場合、前記コンテンツサーバ110は、前記モバイル装置130に、前記レストランとの電話接続を行わせてもよい。前記コンテンツサーバ110がIVRシステムを含む場合、前記コンテンツサーバは、ユーザに対して付加的な情報を提供するよう促してもよい。
【００４１】
図3は、モバイル装置のユーザが本発明の実施の形態を使用して所望のコンテンツを取得する状況の一例を示すものである。図4は、図3の状況に応じて図1に示す様々な構成要素の間で行われる通信を示すラダー図である。図4は主要な通信のみを示すが、本発明の異なる実施の形態において異なる組の通信を使用してよいということは、当業者に認識されるであろう。
【００４２】
図3は、モバイル装置のユーザが道路上で運転しながらビルボード320を見る状況の一例を示している。前記ビルボード320は、近くのレストランであるSmokey Joe'sを示している。前記モバイル装置のユーザが前記レストランへの方向、または、これも前記ビルボードに掲示されることがある前記レストランのウェブアドレスもしくは電話番号を読み取って記憶する前に、該ユーザの車が該ビルボードを通り過ぎてしまっている、ことがよくある。しかし、この場合、前記ビルボードは、前記レストランと関連付けられたマーカ141をも表示する。この例の場合、前記マーカ141は2桁の数字"42"であり、前記モバイル装置のユーザが前記ビルボード320の傍を運転しながらこの番号を読み取って記憶するのは、難しくない。前記モバイル装置のユーザは、この2桁の数字をモバイル装置130に入力し、これに応じて、該モバイル装置のユーザの位置からSmokey Joe'sへの方向、Smokey Joe'sのメニュー等のSmokey Joe'sに関するコンテンツを取得する。
【００４３】
図4において、前記マーカを含む前記モバイル装置130からの信号が、モバイル基地局122に送信され420、該モバイル基地局122は、前記信号中のデータを前記コンテキストサーバ126に送る430。前記コンテキストサーバ126は、コンテキスト情報を決定し、該コンテキスト情報を前記ゲートウエイ124に返す431。この例において、前記コンテキスト情報は、前記モバイル装置の位置である。前記ゲートウエイ124は、Smokey Joe'sのマーカ141および前記モバイル装置130の位置を含むメッセージを作成し、ネットワーク101を介して前記コンテンツサーバ110にメッセージを送る440。前記ネットワーク101がインターネットである場合、好ましくは、前記ゲートウエイ124は、TCP/IPを介して、前記メッセージを、WAPまたはi-モードプロトコルのようなモバイルネットワークプロトコルから、HTTPのようなインターネットプロトコルに変換する。一実施の形態において、前記コンテンツサーバ110に送られる前記メッセージは、"http://contentserver.com/context/42,"のようなURLであり、ここで、"contentserver"は前記コンテンツサーバ110の名前に対応し、"context"は前記モバイル装置130の位置に対応する。
【００４４】
前記メッセージの受信に応じて、前記コンテンツサーバ110は、前記コンテキスト情報を使用して、前記マーカ141をドメインにマッピングし、しかる後、該マッピングされたドメインにおける前記マーカに対応するコンテンツについて前記コンテンツデータベース111に問い合わせる450。該問い合わせに応じて、前記コンテンツデータベース111は、前記コンテンツサーバ110に所望のコンテンツを返す451。代案として、前記コンテンツデータベース111は、前記モバイル装置130がこのコンテンツを取り出すためにアクセスできるインターネット上の位置を指示するURLを返してもよい。
【００４５】
前記コンテンツサーバ110は、取り出されたコンテンツを基地局122に送り460、該基地局122は、前記コンテンツを無線信号に変換し、該無線信号を前記モバイル装置130に送信する470。そして、前記モバイル装置は、前記モバイル装置のユーザに前記コンテンツを出力する。
【００４６】
以上本発明の好ましい実施の形態について説明したが、本発明の概念を含むその他の実施の形態も提供可能であることが、当業者に理解されよう。故に、本発明は開示された発明に限定されるものではなく、添付請求項の精神および範囲によってのみ限定されるものである。
【図面の簡単な説明】
【００４７】
【図１】本発明の一実施の形態に従ってモバイル装置にコンテンツを提供するためのシステムを示すブロック図。
【図２】本発明の一実施の形態に従ってコンテンツサーバとして使用されるコンピュータシステムの高レベルブロック図。
【図３】モバイル装置のユーザが所望のコンテンツを取得するために本発明の一実施の形態を使用する状況の一例を示す図。
【図４】本発明の一実施の形態に従って、コンテキストを有するマーカに対応するコンテンツを提供するための処理を示すラダー図。
【図１】
2006503380.tif 000003
【図２】
2006503380.tif 000004
【図３】
2006503380.tif 000005
【図４】
2006503380.tif 000006
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
モバイル装置からマーカを示すデータを受け取るステップと、
前記マーカを示すデータとは独立に得られる前記モバイル装置の地理的な位置を示すデータを受け取るステップと、
前記モバイル装置の地理的な位置を分析して前記マーカのドメインを決定するステップと、
前記マーカおよび該マーカのドメインに応じたコンテンツを決定するステップと、ここで、該コンテンツはドメインに対するマーカの1対1のマッピングによって決定され、
該決定したコンテンツを前記モバイル装置に提供するステップと
を具備したモバイル装置にコンテンツを提供する方法。
【請求項２】
前記モバイル装置の地理的な位置を示す前記データが、前記モバイル装置から受け取られるものである請求項１に記載の方法。
【請求項３】
前記モバイル装置が、全地球測位システムを使用して前記モバイル装置の地理的な位置を示す前記データを発生する請求項２に記載の方法。
【請求項４】
前記モバイル装置の地理的な位置を示す前記データが、前記モバイル装置から受け取られるものではない請求項１に記載の方法。
【請求項５】
前記モバイル装置の地理的な位置を示すデータが、携帯電話システムの特定のセルを示すものである請求項１に記載の方法。
【請求項６】
前記マーカを示すデータおよび前記モバイル装置の地理的な位置を示すデータが、前記モバイル装置と通信接続されるモバイルネットワークサポートシステムから受け取られるものである請求項1に記載の方法。
【請求項７】
前記モバイルネットワークサポートシステムによって前記モバイル装置から前記マーカを示すデータを受け取るステップと、
前記モバイルネットワークサポートシステムと通信接続されるコンテキストサーバにアクセスして、前記モバイル装置の地理的な位置を示すデータを決定するステップと
を更に具備した請求項６に記載の方法。
【請求項８】
前記マーカおよび該マーカのドメインに応じたコンテンツを決定するステップが、複数のドメインの複数のマーカと関連づけられたコンテンツを保持するコンテンツデータベースにアクセスするステップからなり、該データベースは特定のドメイン内の特定のマーカに関連した特定のコンテンツを記述する1対1のマッピングを明記するものである請求項１に記載の方法。
【請求項９】
前記分析するステップが、データフィードを介して受け取られたデータを前記モバイル装置の地理的な位置と相関させて、前記マーカについて適当なドメインを決定するステップからなる請求項１に記載の方法。
【請求項１０】
前記ドメインが地理的なエリア及び／又は容積的な領域である請求項１に記載の方法。
【請求項１１】
前記地理的なエリア及び／又は容積的な領域が不連続のエリアである請求項１０に記載の方法。
【請求項１２】
前記マーカを示すデータが、数値からなるものである請求項1に記載の方法。
【請求項１３】
前記マーカを示すデータが、テキスト文字列からなるものである請求項1に記載の方法。
【請求項１４】
前記マーカを示すデータが、音声による言葉またはフレーズを示すデータからなるものである請求項1に記載の方法。
【請求項１５】
前記マーカを示すデータが、選択された絵文字を示すデータからなるものである請求項1に記載の方法。
【請求項１６】
前記提供するステップが、前記モバイル装置にテキストデータを提供するステップからなるものである請求項1に記載の方法。
【請求項１７】
前記提供するステップが、前記モバイル装置にオーディオデータおよび/または可視的データを提供するステップからなるものである請求項1に記載の方法。
【請求項１８】
前記マーカは、決定されたコンテンツに関連した本質的な意味を持っていないものである請求項1に記載の方法。
【請求項１９】
前記マーカは、物理的な物体に可視的に表示されたものである請求項1に記載の方法。
【請求項２０】
前記分析は、前記モバイル装置から前記マーカを示すデータを受け取った後に行われる請求項1に記載の方法。
【請求項２１】
前記分析は、前記マーカのドメインの可能性のある複数のドメインの中から該マーカのドメインを１つ選択することを含む請求項1に記載の方法。
【請求項２２】
複数のドメインのうちの1つまたは複数と関連づけられた複数のマーカについてのコンテンツと、特定のドメイン内の特定のマーカに関連した特定のコンテンツを記述するマッピングとを記憶するコンテンツデータベースと、
モバイル装置からマーカを示すデータを受け取り、該マーカを示すデータとは独立に得られる前記モバイル装置の地理的な位置を示すデータを受け取り、前記マーカの地理的位置を分析して該マーカについてドメインを決定し、前記コンテンツデータベースにアクセスして、前記ドメインに対するマーカの1対1のマッピングから前記マーカおよび前記ドメインと関連づけられたコンテンツを決定し、該決定されたコンテンツを該モバイル装置に送るコンテンツサーバと
を具備したモバイル装置にコンテンツを提供するシステム。
【請求項２３】
データフィードを受け取るモジュールを更に具備し、前記コンテンツサーバが、前記データフィードを介して受け取られたデータを前記モバイル装置の地理的な位置と相関させて、前記マーカについて適当なドメインを決定する請求項２２に記載のシステム。
【請求項２４】
前記ドメインが地理的なエリア及び／又は容積的な領域である請求項２２に記載のシステム。
【請求項２５】
前記地理的なエリア及び／又は容積的な領域が不連続のエリアである請求項２４に記載のシステム。
【請求項２６】
前記モバイル装置の地理的な位置を示す前記データが、前記モバイル装置から受け取られるものである請求項２２に記載のシステム。
【請求項２７】
前記モバイル装置が、全地球測位システムを使用して前記モバイル装置の地理的な位置を示すデータを発生する請求項２６に記載のシステム。
【請求項２８】
前記モバイル装置の地理的な位置を示す前記データが、前記モバイル装置から受け取られるものではない請求項２２に記載のシステム。
【請求項２９】
前記モバイル装置の地理的な位置を示すデータが、携帯電話システムの特定のセルを示す請求項２２に記載のシステム。
【請求項３０】
前記モバイル装置および前記コンテンツサーバと通信接続されて、前記マーカを示すデータを前記モバイル装置から前記コンテンツサーバに送り、前記モバイル装置の地理的な位置を示すデータを前記コンテンツサーバに送り、前記決定されたコンテンツを前記コンテンツサーバから前記モバイル装置に送るモバイルネットワークサポートシステムを更に具備した請求項２２に記載のシステム。
【請求項３１】
前記モバイルネットワークサポートシステムが、前記モバイル装置の地理的な位置を示すデータを発生するコンテキストサーバからなる請求項３０に記載のシステム。
【請求項３２】
前記コンテンツサーバによって前記モバイル装置に送られる前記決定されたコンテンツが、テキストデータからなる請求項２２に記載のシステム。
【請求項３３】
前記コンテンツサーバから前記モバイル装置に送られる前記決定されたコンテンツが、オーディオデータおよび/または可視的データからなる請求項２２に記載のシステム。
【請求項３４】
前記マーカを示すデータが、数値からなるものである請求項２２に記載のシステム。
【請求項３５】
前記マーカを示すデータが、テキスト文字列からなるものである請求項２２に記載のシステム。
【請求項３６】
前記マーカを示すデータが、音声による言葉またはフレーズを示すデータからなるものである請求項２２に記載のシステム。
【請求項３７】
前記マーカを示すデータが、選択された絵文字を示すデータからなるものである請求項２２に記載のシステム。
【請求項３８】
前記マーカは、決定されたコンテンツに関連した本質的な意味を持っていないものである請求項２２に記載のシステム。
【請求項３９】
前記マーカは、物理的な物体に可視的に表示されたものである請求項２２に記載のシステム。
【請求項４０】
前記コンテンツデータベースは、複数のドメインに関連づけられたコンテンツを記憶する請求項２２に記載のシステム。
【請求項４１】
モバイル装置にコンテンツを提供するためのコンピュータで読み取り可能なコードを含むコンピュータで使用可能な媒体を具備したコンピュータプログラム製品であって、前記コンピュータで読み取り可能なコードが、
前記モバイル装置からマーカを示すデータを受け取るモジュールと、
前記マーカを示すデータとは独立に得られる前記モバイル装置の地理的な位置を示すデータを受け取るモジュールと、
前記モバイル装置の地理的な位置を分析して前記マーカのドメインを決定し、コンテンツデータベースにアクセスして前記マーカおよびドメインに関連づけられたコンテンツを決定するモジュールと、ここで、該コンテンツはドメインに対するマーカの1対1のマッピングによって決定され、
該決定したコンテンツを前記モバイル装置に提供するモジュールと
からなることを特徴とするコンピュータプログラム製品。
【請求項４２】
前記モバイル装置の地理的な位置を示す前記データが、前記モバイル装置から受け取られるものである請求項４１に記載のコンピュータプログラム製品。
【請求項４３】
前記モバイル装置が、全地球測位システムを使用して前記モバイル装置の地理的な位置を示す前記データを発生する請求項４２に記載のコンピュータプログラム製品。
【請求項４４】
前記モバイル装置の地理的な位置を示す前記データが、前記モバイル装置から受け取られるものではない請求項４１に記載のコンピュータプログラム製品。
【請求項４５】
前記モバイル装置の地理的な位置を示すデータが、携帯電話システムの特定のセルを示す請求項４１に記載のコンピュータプログラム製品。
【請求項４６】
前記マーカを示すデータおよび前記モバイル装置の地理的な位置を示すデータが、前記モバイル装置と通信接続されるモバイルネットワークサポートシステムから受け取られるものである請求項４１に記載のコンピュータプログラム製品。
【請求項４７】
前記モバイルネットワークサポートシステムによって前記モバイル装置から前記マーカを示すデータを受け取るモジュールと、
前記モバイルネットワークサポートシステムと通信接続されるコンテキストサーバにアクセスして、前記モバイル装置の地理的な位置を示すデータを決定するモジュールと
を更に具備した請求項４６に記載のコンピュータプログラム製品。
【請求項４８】
前記ドメインマッピングモジュールが、データフィードを介して受け取られたデータを前記モバイル装置の地理的な位置と相関させて、前記マーカについて適当なドメインを決定する請求項４１に記載のコンピュータプログラム製品。
【請求項４９】
前記ドメインが地理的なエリア及び／又は容積的な領域である請求項４１に記載のコンピュータプログラム製品。
【請求項５０】
前記地理的なエリア及び／又は容積的な領域が不連続のエリアである請求項４９に記載のコンピュータプログラム製品。
【請求項５１】
前記モバイル装置に前記決定されたコンテンツを提供するモジュールが、前記モバイル装置にテキストデータを提供するモジュールからなるものである請求項４１に記載のコンピュータプログラム製品。
【請求項５２】
前記モバイル装置に前記決定されたコンテンツを提供するモジュールが、前記モバイル装置にオーディオデータおよび/またはビデオデータを提供するモジュールからなるものである請求項４１に記載のコンピュータプログラム製品。
【請求項５３】
前記マーカを示すデータが、数値からなるものである請求項４１に記載のコンピュータプログラム製品。
【請求項５４】
前記マーカを示すデータが、テキスト文字列からなるものである請求項４１に記載のコンピュータプログラム製品。
【請求項５５】
前記マーカを示すデータが、音声による言葉またはフレーズを示すデータからなるものである請求項４１に記載のコンピュータプログラム製品。
【請求項５６】
前記マーカを示すデータが、選択された絵文字を示すデータからなるものである請求項４１に記載のコンピュータプログラム製品。
【請求項５７】
前記マーカは、決定されたコンテンツに関連した本質的な意味を持っていないものである請求項４１に記載のコンピュータプログラム製品。
【請求項５８】
前記マーカは、物理的な物体に可視的に表示されたものである請求項４１に記載のコンピュータプログラム製品。
【国際調査報告】
2006503380.tif 000007
2006503380.tif 000008